(57)【要約】【課題】  冊子データに基づいて印刷物を出力し、当該印刷物を中綴じ・中折り製本して冊子を作成する場合に、小冊子に相当する冊子データを複数用意しなくとも冊子全ページを含む冊子データから複数の小冊子を作成でき、冊子単位での印刷を可能にする技術を提供する。【解決手段】  複数のページデータで構成される冊子データに基づき、複数のページデータを所定ページ数単位で区分し、同一区分のページデータで一冊子を形成するように同一紙面上に並ぶページデータを対にして小冊子データを作成し、当該小冊子データを同一区分毎に出力及び製本する。【選択図】      図３
2006209615.tif 000002
【特許請求の範囲】
【請求項１】
複数のページデータより構成される冊子データから印刷物を作成して製本する印刷システムであって、
前記冊子データに基づき、複数のページデータを所定ページ数単位で区分するとともに、同一区分のページデータで一小冊子を形成するように同一紙面上に並ぶページデータを対にして、区分毎の小冊子データを得る小冊子データ作成手段と、
前記小冊子データに基づいて、区分毎に小冊子形式の印刷物を出力する出力手段と、
前記印刷物を中折り・中綴じして区分毎の小冊子を得る製本手段と、
を備えること、
を特徴とする印刷システム。
【請求項２】
前記所定ページ数単位を設定する小冊子単位設定手段を更に備えること、
を特徴とする請求項１記載の印刷システム。
【請求項３】
複数のページデータより構成される冊子データから印刷物を作成して製本する印刷システムであって、
前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、
小冊子の順序に応じた背丁及び背票のデータを、各小冊子データに追加する背丁・背票データ追加手段と、
作成された小冊子データに基づいて、区分毎に小冊子形式の印刷物を出力する出力手段と、
前記印刷物を中折り・中綴じして区分毎の小冊子を得る製本手段と、
を備えること、
を特徴とする印刷システム。
【請求項４】
前記所定ページ数を設定する小冊子単位設定手段を更に備えること、
を特徴とする請求項３記載の印刷システム。
【請求項５】
複数のページデータより構成される冊子データを解析加工して画像出力装置に印刷物を出力させ、製本装置に中折り・中綴じ製本させる印刷制御装置であって、
前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、
前記小冊子データを前記画像出力装置に送出して区分毎に小冊子形式の印刷物を出力させ、前記製本装置に前記印刷物を区分毎に中折り・中綴じさせること、
を特徴とする印刷制御装置。
【請求項６】
前記所定ページ数を設定する小冊子単位設定手段を更に備えること、
を特徴とする請求項５記載の印刷制御装置。
【請求項７】
複数のページデータより構成される冊子データを解析加工して画像出力装置に印刷物を出力させ、製本装置に中折り・中綴じ製本させる印刷制御装置であって、
前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、
小冊子の順序に応じた背丁及び背票のデータを、小冊子データに追加する背丁・背票データ追加手段と、
を備え、
作成された小冊子データを前記画像出力装置に送出して区分毎に小冊子形式の印刷物を出力させ、前記製本装置に前記印刷物を区分毎に中折り・中綴じさせて小冊子に製本させること、
を特徴とする印刷制御装置。
【請求項８】
前記所定ページ数を設定する小冊子単位設定手段を更に備えること、
を特徴とする請求項７記載の印刷制御装置。
【請求項９】
印刷物を出力する画像出力装置と、印刷物を中折り・中綴じ製本する製本装置とに接続され、複数のページデータより構成される冊子データを格納する印刷制御装置を、
前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、
前記小冊子データを前記画像出力装置に送出して区分毎に小冊子形式の印刷物を出力させ、前記製本装置に前記印刷物を区分毎に中折り・中綴じさせて小冊子に製本させる制御手段と、
して機能させること、
を特徴とする印刷制御プログラム。
【請求項１０】
前記所定ページ数を設定する小冊子単位設定手段として更に機能させること、
を特徴とする請求項９記載の印刷制御プログラム。
【請求項１１】
印刷物を出力する画像出力装置と、印刷物を中折り・中綴じ製本する製本装置とに接続され、複数のページデータより構成される冊子データを格納する印刷制御装置を、
前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、
小冊子の順序に応じた背丁及び背票のデータを、小冊子データに追加する背丁・背票データ追加手段と、
作成された小冊子データを前記画像出力装置に送出して区分毎に小冊子形式の印刷物を出力させ、前記製本装置に前記印刷物を区分毎に中折り・中綴じさせて小冊子に製本させる制御手段と、
して機能させること、
を特徴とする印刷制御プログラム。
【請求項１２】
前記所定ページ数を設定する小冊子単位設定手段として更に機能させること、
を特徴とする請求項１１記載の印刷制御プログラム。
【発明の詳細な説明】
【技術分野】
【０００１】
この発明は、冊子データに基づいて印刷物を出力し、当該印刷物を中綴じ・中折り製本して冊子を作成する技術に関する。
【背景技術】
【０００２】
近年では、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、フルディジタルで最終印刷物を直接記録用紙に出力することが行われるようになった。またこのフルディジタル化に伴って、小ロットの印刷物製作やＰＯＤ（Ｐｒｉｎｔ  Ｏｎ  Ｄｅｍａｎｄ）、バリアブル印刷等の用途も発展している。
【０００３】
旧来の印刷方式においては、効率的に印刷するため、記録用紙の一面に８ページや１６ページ単位でページ面付けしている。
【０００４】
従って、旧来の印刷システムにおいては、コンピュータのソフトウェア上で、一つの出力用のデータを折り丁した際にノンブル順に並ぶように８ページや１６ページ単位でページデータを割り付ける編集を行っている。
【０００５】
ところで、小ロットの印刷物製作やＰＯＤ、バリアブル印刷等に用いるフルディジタルの印刷システムにおいて、カラーレーザプリンタ等の電子写真方式の画像出力装置が用いられるようになって来た。このような画像出力装置のコストバランスの良さと、高速化及び高品質化に伴うものである。
【０００６】
カラーレーザプリンタ等の電子写真方式の画像出力装置では、その構造上、大サイズの記録用紙への出力が難しい。そこで面付けは、中折り・中綴じ製本を前提とし、記録用紙１面に２ページ分を面付けすることが一般的である。
【０００７】
そこで、カラーレーザプリンタ等の電子写真方式の画像出力装置を備えた印刷システムでは、各ページのデータを中折り・中綴じ製本した際に同一紙面上に並ぶように並び替える再構成処理を行った上で出力を行っている（例えば、特許文献１参照。）。
【０００８】
また、カラーレーザプリンタ等の電子写真方式の画像出力装置の使用を前提として、記録用紙の厚さに応じて折りの内側と外側で断裁位置が変わるため、内側のページを外側のページよりも中寄せして配置する等の技術も発展してきている（例えば、特許文献２参照。）。
【０００９】
【特許文献１】特開平２−２８６３６３号公報
【特許文献２】特開平７−２８７４２８号公報
【発明の開示】
【発明が解決しようとする課題】
【００１０】
中折り・中綴じする製本は、カラーレーザプリンタ等の電子写真方式の画像出力装置であっても簡易に作成することが出来る。しかし、ページ数が多くなった場合、冊子の小口とのどの部分で厚さが異なってしまい、また中折りと外折りののど幅が異なり、見栄えが悪くなってしまう。
【００１１】
この問題を解消する方法としては、装置操作者が冊子全体のページを含む冊子データを意識的に分割して、小冊子単位のページ数に相当する冊子データを作り直す方法がある。従って、このデータを作り直す時間を無駄に割かなくてはならない。
【００１２】
更に小冊子単位のページ数に相当する冊子データによる場合、この冊子データから作成された小冊子を別途持ち寄り順番に並べて装丁しなくてはならず、乱丁、落丁、取り込み等の原因となっていた。
【００１３】
この発明は、上述のような問題点に鑑みてなされたものであり、冊子データに基づいて印刷物を出力し、当該印刷物を中綴じ・中折り製本して冊子を作成する場合に、小冊子に相当する冊子データを複数用意しなくとも冊子全ページを含む冊子データから複数の小冊子を作成でき、冊子単位での印刷を可能にする技術を提供することを目的とする。
【課題を解決するための手段】
【００１４】
上記課題を解決するために、請求項１に記載の発明は、複数のページデータより構成される冊子データから印刷物を作成して製本する印刷システムであって、前記冊子データに基づき、複数のページデータを所定ページ数単位で区分するとともに、同一区分のページデータで一小冊子を形成するように同一紙面上に並ぶページデータを対にして、区分毎の小冊子データを得る小冊子データ作成手段と、前記小冊子データに基づいて、区分毎に小冊子形式の印刷物を出力する出力手段と、前記印刷物を中折り・中綴じして区分毎の小冊子を得る製本手段と、を備えること、を特徴とする。
【００１５】
上記課題を解決するために、請求項３に記載の発明は、複数のページデータより構成される冊子データから印刷物を作成して製本する印刷システムであって、前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、小冊子の順序に応じた背丁及び背票のデータを、各小冊子データに追加する背丁・背票データ追加手段と、作成された小冊子データに基づいて、区分毎に小冊子形式の印刷物を出力する出力手段と、前記印刷物を中折り・中綴じして区分毎の小冊子を得る製本手段と、を備えること、を特徴とする。
【００１６】
上記課題を解決するために、請求項５に記載の発明は、複数のページデータより構成される冊子データを解析加工して画像出力装置に印刷物を出力させ、製本装置に中折り・中綴じ製本させる印刷制御装置であって、前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、前記小冊子データを前記画像出力装置に送出して区分毎に小冊子形式の印刷物を出力させ、前記製本装置に前記印刷物を区分毎に中折り・中綴じさせること、を特徴とする。
【００１７】
上記課題を解決するために、請求項７に記載の発明は、複数のページデータより構成される冊子データを解析加工して画像出力装置に印刷物を出力させ、製本装置に中折り・中綴じ製本させる印刷制御装置であって、前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、小冊子の順序に応じた背丁及び背票のデータを、小冊子データに追加する背丁・背票データ追加手段と、を備え、作成された小冊子データを前記画像出力装置に送出して区分毎に小冊子形式の印刷物を出力させ、前記製本装置に前記印刷物を区分毎に中折り・中綴じさせて小冊子に製本させること、を特徴とする。
【００１８】
上記課題を解決するために、請求項９に記載の発明は、印刷物を出力する画像出力装置と、印刷物を中折り・中綴じ製本する製本装置とに接続され、複数のページデータより構成される冊子データを格納する印刷制御装置を、前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、前記小冊子データを前記画像出力装置に送出して区分毎に小冊子形式の印刷物を出力させ、前記製本装置に前記印刷物を区分毎に中折り・中綴じさせて小冊子に製本させる制御手段と、して機能させること、を特徴とする。
【００１９】
上記課題を解決するために、請求項１１に記載の発明は、印刷物を出力する画像出力装置と、印刷物を中折り・中綴じ製本する製本装置とに接続され、複数のページデータより構成される冊子データを格納する印刷制御装置を、前記冊子データに基づき、複数のページデータを所定ページ数単位で区分するとともに、同一区分のページデータで一冊子を形成するように同一紙面上に並ぶページデータを対にして、区分毎の小冊子データを得る小冊子データ作成手段と、小冊子の順序に応じた背丁及び背票のデータを、小冊子データに追加する背丁・背票データ追加手段と、作成された小冊子データを前記画像出力装置に送出して区分毎に小冊子形式の印刷物を出力させ、前記製本装置に前記印刷物を区分毎に中折り・中綴じさせて小冊子に製本させる制御手段と、して機能させること、を特徴とする。
【００２０】
また、前記所定ページ数を設定する小冊子単位設定手段を更に備えるようにしてもよい（請求項２，４，６，８，１０，１２の発明に相当）。
【発明の効果】
【００２１】
本発明は、冊子データに基づき、中折り・中綴じされた冊子を作成する印刷技術であって、冊子データに基づいて画像データを各ページに配置してページ単位のページデータを作成し、複数のページデータを所定ページ数単位で区分し、同一区分のページデータで一冊子を形成するように同一紙面上に並ぶページデータを対にして小冊子データを作成し、小冊子データに基づいて小冊子形式の印刷物を出力し、印刷物を中折り・中綴じして小冊子に製本するようにした。
【００２２】
従って、小冊子のページ数に相当せず、複数の小冊子に区分けされていない冊子全体のデータを用いても、所定ページ数単位の小冊子に区分して製本することができる。また、そのような冊子データをページ番号を意識することなく、簡便に小冊子化することができる。
【００２３】
よって、冊子データに基づく作成される冊子ののどと小口とで厚みが均一になり高品位な冊子作成が可能となる。また乱丁、落丁、取り込みを簡便に回避することが生産性の向上やより一層品位を高めることができる。
【発明を実施するための最良の形態】
【００２４】
以下、この発明の一実施形態について図１乃至図９に基づき詳細に説明する。図１は、本実施形態に係る印刷システム１の構成図である。図１に示す印刷システム１は、クライアント端末２と、印刷制御装置３と、画像出力装置４とをＬＡＮ等のネットワークを介して接続しており、画像出力装置４の後段に製本装置５が連接されている。
【００２５】
この印刷システム１において、クライアント端末２は、冊子データが作成可能なアプリケーションが搭載されたコンピュータである。クライアント端末１で作成された冊子データは、ネットワークを介して印刷制御装置３に送出される。
【００２６】
冊子データは、ポストスクリプト等のページ記述言語で記述されており、ページ毎の文字データや図形データが配置情報で規定されたページデータで構成されている。本発明において、冊子データは、クライアント端末２において意図的に小冊子に相当するページ数分のページデータのみで構成されたものではなく、複数の小冊子で構成されるべきページ数を含んでいる。例えば、小冊子単位で区別されていない装丁される冊子全ページを含むデータである。尚、全てのページデータを含んだ冊子データを作成することによるファイルサイズの大きさに起因するトラブルを回避するため、または一つの冊子データを複数の制作者が作成する場合等により、クライアント端末１からは、任意のページで分割された冊子データの一部がそれぞれ印刷制御装置３に送出されてもよく、この場合、印刷制御装置３にて一つの冊子データに結合処理してもよい。
【００２７】
冊子データが送出された印刷制御装置３は、図示しないＣＰＵ、ＲＡＭ、ＨＤＤやマンマシンインターフェースで構成されたコンピュータで構成される。この印刷制御装置３は、冊子データを分割して複数の小冊子に対応した小冊子データを作成する。すなわち、冊子データからページデータを作成し、ページデータを複数の小冊子に区分して、同一区分で一冊子を形成する小冊子データを作成する。この小冊子データは、一つの印刷ジョブとして画像出力装置４に送出される。さらに印刷制御装置３は、画像出力装置４と製本装置５を制御して、印刷物を作成させ、また中綴じ・中折り製本を行わせる。
【００２８】
小冊子データは、冊子データに対応する冊子を所定ページ数毎に区分して区分毎に小冊子化した場合の、小冊子単位のデータである。この小冊子データは、一つの小冊子を構成する各紙面データで構成されている。紙面データは、小冊子において紙面に描画される画像に対応したものであり、小冊子に分割した場合に同一紙面上に並ぶページデータを対にした画像データである。
【００２９】
画像出力装置４は、例えば、カラーレーザプリンタ等の電子写真方式プリンタであり、イメージスキャナや、異なるサイズの記録用紙を異なる出力方向（縦置きと横置き）に収納する複数の給紙カセットを備えるマルチファンクションプリンタである。
【００３０】
この画像出力装置４は、出力手段となり、送出された小冊子データを一つの印刷ジョブとして記録用紙上に出力する。作成された印刷物は、小冊子データに基づき小冊子形式の印刷物となる。また、印刷制御装置３は、一つの印刷ジョブが終了すると、作成した印刷物を製本装置５に搬送する。
【００３１】
製本装置５は、中綴じ・中折り製本を行う装置である。この製本装置５は、製本手段となり、画像出力装置４より搬送されてきた印刷物を中折り・中綴じし小冊子化する。
【００３２】
次に、印刷制御装置３の構成及び動作をさらに詳細に説明する。図２は、本実施形態に係る印刷制御装置３の構成図である。図２に示すように、印刷制御装置３は、図示しないＣＰＵ、ＲＡＭ、ＨＤＤで構成される制御部３ａ、マウスやキーボード等のマンマシンインターフェースである入力装置３ｂにより構成されている。
【００３３】
制御部３ａは、画像出力装置４や製本装置５の動作制御を行うほか、ＨＤＤに格納されている印刷制御プログラムをＣＰＵで実行することにより、データ保存部３１、小冊子化部３２、背丁・背票データ追加部３３、画像処理部３４、及び小冊子単位設定保存部３５を備える。
【００３４】
データ保存部３１は、例えば、ＲＡＭ又はＨＤＤにより構成され、冊子データや小冊子データ等のデータを格納する。このデータ保存部３１に保存されたデータは、適宜小冊子化部３２、若しくは背丁・背票データ追加部３３、又は画像処理部３４によって読み出され、また当該データ保存部３１に格納される。クライアント端末２より送出された冊子データは、まずこのデータ保存部３１に格納される。
【００３５】
小冊子化部３２は、例えば、ＣＰＵにより構成され、冊子データから小冊子データを作成する。冊子を小冊子に分割する際の小冊子のページ数は、小冊子単位設定保存部３５に格納されている小冊子単位となるページ数の値に相当する。この値は、入力装置３ｂを用いて装置操作者が入力することで小冊子単位設定保存部３５に格納可能となっている。すなわち、入力装置３ｂは、印刷制御プログラムの入力信号解釈によって小冊子単位設定手段となる。
【００３６】
背丁・背票データ追加部３３は、例えば、ＣＰＵにより構成され、小冊子データ毎に最外側記録用紙に出力される紙面データに背丁及び背票のデータを追加する。追加する背丁・背票のデータは、区分された小冊子の並び順に応じたものであり、小冊子が正しく並んだ際に背票が階段状に並ぶように、当該紙面データに対応する画像の背の部分に配置規定されて追加される。
【００３７】
図６は、一つの小冊子を形成する小冊子データを示したものである。図６に示すように、例えば、記録用紙１枚目表面、すなわち小冊子の最外側記録用紙の背の部分に背丁及び背票が描画されるように背丁・背票のデータが追加される。
【００３８】
画像処理部３４は、例えば、ＣＰＵにより構成され、小冊子データを画像処理して画像出力装置４が出力可能なデータに変換する。画像処理部３４が行う画像処理は、ＲＩＰ処理、網点化処理である。
【００３９】
ＲＩＰ処理は、ページ記述言語で記述された小冊子データを解釈して、当該小冊子データに含まれる紙面データを画像出力装置４の出力解像度に合わせたラスタデータ、すなわち点の集まりであるビットマップのデータに変換するものであり、いわゆるラスタライズである。
【００４０】
網点化処理は、画像出力装置４の出力解像度に合わせてラスタデータで構成される紙面データを網点で再構成する処理であり、特に画像出力装置４が出力強度を可変できる装置の場合には、多値の網点に再構成して、網点データで構成された小冊子データを生成する。
【００４１】
この印刷制御装置３は、データ保存部３１に冊子データが格納されると、小冊子化部３２が小冊子単位設定保存部３２に格納されているページ数の値を参照して冊子データから小冊子データを作成する。小冊子データに含まれる所定の紙面データには、背丁・背票データ追加部３３により背丁及び背票のデータが追加され、画像処理部３４によりＲＩＰ処理及び網点化処理が施される。画像処理後の小冊子データは、制御部３ａにより制御命令と共に画像出力装置４に送出される。
【００４２】
小冊子化部３２について図３に基づき更に詳細に説明する。図３は、小冊子化部３２の構成図である。図３に示すように、小冊子化部３２は、ページデータ作成手段３２ａと区分手段３２ｂと紙面データ作成手段３２ｃからなる。この区分手段３２ｂと紙面データ作成手段３２ｃにより小冊子データ作成手段が実現される。
【００４３】
ページデータ作成手段３２ａは、冊子データをページ単位で読み出して、ページ単位のページデータを作成する。
【００４４】
図４は、冊子データに基づくページデータの作成を示す図である。図４に示すように、冊子データは、例えば、４８ページ分の文字データや図形データの配置規定が記述されている。ページデータ作成手段３２ａは、冊子データからページ単位で文字データや図形データの配置規定を読み出して、４８個のページデータを作成し、順次冊子データの上位に記述されているページからページ番号を定めていく。
【００４５】
区分手段３２ｂは、作成された複数のページデータを所定ページ数毎に区分する。区分手段３２ｂは、小冊子単位設定保存部３５に格納されている小冊子単位となるページ数の値を取得し、取得した値に相当するページ数単位でページデータを区分する。区分手段３２ｂが行う区分は、ページ順に所定ページ数分のページデータを１つのファイルとして扱うことによりなされる。
【００４６】
図５は、ページデータの区分を示す図である。図５に示すように、本実施形態において小冊子単位設定保存部３５に格納されている小冊子単位は、例えば、１６ページであり、区分手段３２ｂは、４８ページのページデータを１６ページ毎に区分してそれぞれを１ファイルとする。
【００４７】
紙面データ作成手段３２ｃは、１ファイル毎にデータ保存部３１からページデータを読み出して、すなわち同一区分のページデータを読み出して、これら同一区分のページデータで一冊子を形成するように紙面データを作成し、小冊子データを得る。
【００４８】
小冊子は、中折り・中綴じした際にノンブル順にページが並ぶ。紙面データ作成手段３２ｃは、小冊子を形成した際に同一紙面上に並ぶページデータを対にして合成して紙面データを作成し、これらを一まとめの小冊子データとする。
【００４９】
図６は、区分したページデータを同一区分において紙面データ化して小冊子データに再構成することを示す図である。図６に示すように、例えば、紙面データ作成手段３２ｃによって小冊子データ１．ｄａｔがデータ保存部３１から読み出され、１ページ目と１６ページ目のページデータを対にして紙面データを作成し、記録用紙１枚目表面に規定する。更に２ページ目と１５ページ目のページデータを対にして紙面データを作成し、記録用紙１枚目裏面に規定する。以下、順次紙面データを作成することで、最終的に小冊子データを得る。
【００５０】
このような印刷制御装置３の動作を図８に基づき小冊子データが作成される動作を中心に詳細に説明する。図８は、印刷制御装置３の動作を示すフローチャート図である。印刷制御装置３において、画像制御プログラムをＲＡＭ上に展開して、ＣＰＵが画像制御プログラムに沿って演算処理を行うことにより動作する。
【００５１】
まず、クライアント端末２により冊子データが作成され、作成された冊子データがネットワークを介して印刷制御装置３に送出されると、送出された冊子データは、データ保存部３１に格納される（Ｓ１００）。
【００５２】
次に、小冊子化部３２において、ページデータ作成手段３２ａが冊子データからページ毎の記述を読み出し（Ｓ１０１）、文字データや図形データの配置規定に従い、図４に示すようにページ単位のページデータを作成する（Ｓ１０２）。
【００５３】
ページデータが作成されると、当該ページデータは、データ保存部３１に格納される。次に、区分手段３２ｂにより小冊子単位設定保存部３２に格納されている小冊子単位であるページ数単位に相当する値が取得される（Ｓ１０３）。この値は、装置操作者が入力装置３ｂを操作することで予め小冊子単位設定保存部３２に格納される。
【００５４】
小冊子単位であるページ単位に相当する値が取得されると、区分手段は、取得した値に従って、図５に示すように取得した値に相当するページ数単位でページデータを区分し、区分毎にファイル化する（Ｓ１０４）。
【００５５】
ページデータが区分されると、紙面データ作成手段３２ｃは、１ファイル毎にページデータを読み出す（Ｓ１０５）。ページデータを読み出すと、図６に示すように区分されたページデータ単位で一つの小冊子となるようにページデータを面付けして紙面毎の紙面データで構成された小冊子データを得る（Ｓ１０６）。
【００５６】
小冊子データを得ると、小冊子化部３２の処理から背丁・背票データ追加部３３の処理に移る。背丁・背票データ追加部３３は、小冊子データ毎に小冊子となった場合に最外側記録用紙に出力される紙面データを読み出し、図６に示すように背の部分に背丁・背票が描画されるように背丁・背票のデータを追加する（Ｓ１０７）。
【００５７】
背丁・背票データ追加部３３は、予め背丁・背票データ追加部３３が保持しているもののうち、小冊子データに対応した、すなわち小冊子の並び順に対応したデータを追加する。
【００５８】
背丁及び背票のデータが追加されると、処理は画像処理部３４に渡される。画像処理部３４は、作成された小冊子データに含まれる各紙面データに画像出力装置４の出力解像度に合わせたＲＩＰ処理を施し（Ｓ１０８）、ＲＩＰ処理されたデータ列に対して順次網点化処理を施す（Ｓ１０９）。
【００５９】
このＳ１０５〜Ｓ１０９までの処理を区分数に応じて、すなわち同一冊子データに基づく全小冊子データに対して行い（Ｓ１１０，Ｎｏ）、１小冊子データずつ画像出力装置４へ送出し、小冊子データを印刷する（Ｓ１１１）。この際、制御部３ａによって画像出力装置４に対して小冊子データ毎の出力紙面数や給紙トレイ等を規定した制御命令を小冊子データ毎に送出する。
【００６０】
次に、このような印刷制御装置３を備える印刷システム１の動作について図９に基づき説明する。図９は、印刷システムの動作を示すフローチャート図である。
【００６１】
まず、クライアント端末２によって冊子データが編集されると（Ｓ２００）、編集された冊子データが印刷制御装置３へ送出される（Ｓ２０１）。
【００６２】
印刷制御装置３では、データ保存部３１に冊子データが保存され、小冊子化部３２により小冊子データが得られる（Ｓ２０２）。更に、背丁・背票データ追加部３３により各印刷ジョブ内の最外記録用紙に出力される小冊子データに対して、小冊子が並ぶ順序に対応した背丁及び背票のデータが追加され、小冊子データに含まれる紙面データにＲＩＰ処理及び網点化処理が施される。
【００６３】
画像処理を経た小冊子データは、制御部３ａによって画像出力装置４及び製本装置５を制御する制御命令と共に画像出力装置４へ送出される（Ｓ２０３）。画像出力装置４は、制御命令に従って１小冊子データずつ印刷物を作成し（Ｓ２０４）、１小冊子データに基づく印刷物毎に製本装置５を搬送する（Ｓ２０５）。
【００６４】
製本装置５は、制御命令に従って、同一小冊子データに属する印刷物を中折り・中綴じし、図７の（ａ）に示すような小冊子を作成する。図７の（ａ）は、製本装置５により作成された小冊子を示す。図７の（ａ）に示すように、冊子全ページを含む冊子データであっても、印刷制御装置３にて小冊子に相当するページ数に区分し、同一区分にて１冊子が形成される小冊子データを作成することで、小冊子を得ることができる。
【００６５】
小冊子の作成は、印刷制御装置３により作成された小冊子データの数、すなわち区分された数だけ繰り返され、順次製本装置５にて中折り・中綴じされていく。図７の（ｂ）に示すように冊子全ページを含む冊子データであっても小冊子に区分して印刷することができ、冊子データに基づき作成された冊子ののどと小口とで厚さが均一になり、さらにのど幅をそろえることができる。また、印刷制御装置３で背丁及び背票のデータを追加したことにより乱丁や落丁や取り込みが防止されている。
【００６６】
尚、本実施形態においては、印刷制御プログラムをＨＤＤ内に記憶させるようにした。この他にも印刷制御装置３が読み取り可能な記憶媒体に記憶させることもできる。例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）に記憶されているようにしてもよい。
【００６７】
また、本実施形態において印刷制御装置３は、印刷制御プログラムを実行することで上述の機能を備えるようにしたが、専用回路を備えることで上述の機能を備えるようにしてもよい。
【図面の簡単な説明】
【００６８】
【図１】本発明の実施形態に係る印刷システムの構成を示す構成図である。
【図２】本実施形態に係る印刷制御装置の構成図である。
【図３】小冊子化部の構成図である。
【図４】冊子データのページデータへの分割を示す図である。
【図５】ページデータを区分けすることを示す図である。
【図６】区分したページデータを同一区分において小冊子データに再構成することを示す図である。
【図７】本実施形態に係る印刷システムによって作成される小冊子と、小冊子をまとめることで作成される冊子を説明する図である。
【図８】本実施形態に係る印刷制御装置の動作を示すフローチャート図である。
【図９】本実施形態に係る印刷システムの動作を示すフローチャート図である。
【符号の説明】
【００６９】
１    印刷システム
２    クライアント端末
３    印刷制御装置
３ａ  制御部
３ｂ  入力装置
３１  データ保存部
３２  小冊子化部
３３  背丁・背票データ追加部
３４  画像処理部
３５  小冊子単位設定保存部
３２ａ  ページデータ作成手段
３２ｂ  区分手段
３２ｃ  紙面データ作成手段
４    画像出力装置
５    製本装置
【図１】
2006209615.tif 000003
【図２】
2006209615.tif 000004
【図３】
2006209615.tif 000005
【図４】
2006209615.tif 000006
【図５】
2006209615.tif 000007
【図６】
2006209615.tif 000008
【図７】
2006209615.tif 000009
【図８】
2006209615.tif 000010
【図９】
2006209615.tif 000011